(57)【特許請求の範囲】
【請求項１】
基地局と端末とがＣＤＭＡ方式で無線通信を行う通信システムに用いられる基地局であって、
前記端末として、外部アンテナが当該端末に接続されているか否かを判定し、前記外部アンテナが接続されていることを判定したときに、前記外部アンテナが接続されている旨を前記基地局に通知する優先端末を含み、
前記基地局は、前記優先端末から前記外部アンテナが接続されている旨の通知を受信すると、その優先端末に対して回線接続を優先的に許可することを特徴とする無線通信の基地局。
【請求項２】
基地局と端末とがＣＤＭＡ方式で無線通信を行う通信システムに用いられる基地局であって、
前記端末として、外部アンテナが当該端末に接続されているか否かを判定し、前記外部アンテナが接続されていることを判定したときに、前記外部アンテナが接続されている旨を前記基地局に通知する優先端末を含み、
前記基地局は、前記優先端末から前記外部アンテナが接続されている旨の通知を受信すると、その優先端末に対して伝送速度の高速化を優先的に許可することを特徴とする無線通信の基地局。
【請求項３】
基地局と端末とがＣＤＭＡ方式で無線通信を行う通信システムに用いられる基地局であって、
前記端末として、外部アンテナが当該端末に接続されているか否かを判定し、前記外部アンテナが接続されていることを判定したときに、前記外部アンテナが接続されている旨を前記基地局に通知する優先端末を含み、
前記基地局は、前記優先端末から前記外部アンテナが接続されている旨の通知を受信すると、無線ゾーン内の端末との間の伝送速度を低下させる状態が生じても、その優先端末に対しては伝送速度の低下を禁止することを特徴とする無線通信の基地局。
【発明の詳細な説明】
【０００１】
【発明の属する技術分野】
本発明は、自動車電話や携帯電話等の無線通信の基地局に関する。
【０００２】
【従来の技術】
従来、ＣＤＭＡ方式の通信システムでは、送信電力制御（Ｐｏｗｅｒ  Ｃｏｎｔｒｏｌ）が実施されている。
【０００３】
具体的には、基地局が端末に対して送信電力制御を指示するため、端末は、基地局への送信信号が通信品質を確保できる必要最小レベルになるように送信レベルを制御する。これと共に、端末が基地局に対して送信電力制御を指示するため、基地局は、端末への送信信号が通信品質を確保できる必要最小レベルになるように送信レベルを制御する。
【０００４】
図６において、ＣＤＭＡ方式の通信システムの送信電力制御の具体例につき説明する。先ず、無線ゾーン１ａ内において、端末２は、端末３に比べて基地局１の近くに位置するため、基地局１は、端末３に比べて相対的に端末２への送信レベルを下げて送信する。
【０００５】
ここで、端末４は、外部アンテナ４ａを装備しているため、端末４は、端末３と同じ伝搬条件であっても、端末４は、端末３に比べて、アンテナを含めた無線性能が高い。このため、図６中の矢印に示すように、（矢印の太さは、送信レベルの大きさを示す）基地局１は、端末３に比べて相対的に端末４への送信レベルを下げて送信できる。
【０００６】
【発明が解決しようとする課題】
ところで、上述のＣＤＭＡ方式の通信システムでは、送信電力制御が行われると、外部アンテナを装備していなくても、端末の利用者は、外部アンテナを装備した端末の利用者と同じ通信品質を享受できる。一方、基地局側においては、端末に対する送信レベルを低くすることで、他の端末への干渉を少なくし、無線ゾーン内で、可能な限り、数多くの端末を、運用することが望まれている。
【０００７】
このように、無線ゾーン内で、数多くの端末を運用するためには、各利用者が外部アンテナを端末に装備することにより、各端末の無線性能を向上させることが望ましい。そこで、本発明者等は、外部アンテナを装備する端末の利用者に対して、特別なサービスを提供すれば、外部アンテナを端末に装備することを各利用者に促すことが可能になると考えた。
【０００８】
本発明は、上記点に鑑み、外部アンテナを具備する端末の利用者に対して特典を提供する無線通信の基地局を提供することを目的とする。
【０００９】
【課題を解決するための手段】
本発明は、上記目的を達成するために、請求項１に記載の発明では、基地局と端末とがＣＤＭＡ方式で無線通信を行う通信システムに用いられる基地局であって、前記端末として、外部アンテナが当該端末に接続されているか否かを判定し、前記外部アンテナが接続されていることを判定したときに、前記外部アンテナが接続されている旨を前記基地局に通知する優先端末を含み、前記基地局は、前記優先端末から前記外部アンテナが接続されている旨の通知を受信すると、その優先端末に対して回線接続を優先的に許可することを特徴とする。
【００１０】
このように、優先端末から外部アンテナが接続されている旨の通知を受信すると、その優先端末に対して回線接続を優先的に許可しているから、そのような特定の提供により、外部アンテナを端末に装備することを各利用者に促すことができる。
【００１１】
また、請求項２に記載の発明では、基地局と端末とがＣＤＭＡ方式で無線通信を行う通信システムに用いられる基地局であって、前記端末として、外部アンテナが当該端末に接続されているか否かを判定し、前記外部アンテナが接続されていることを判定したときに、前記外部アンテナが接続されている旨を前記基地局に通知する優先端末を含み、前記基地局は、前記優先端末から前記外部アンテナが接続されている旨の通知を受信すると、その優先端末に対して伝送速度の高速化を優先的に許可することを特徴とする。
【００１２】
このように、優先端末から外部アンテナが接続されている旨の通知を受信すると、その優先端末に対して伝送速度の高速化を優先的に許可しているから、そのような特定の提供により、外部アンテナを端末に装備することを各利用者に促すことができる。
【００１３】
また、請求項３に記載の発明では、基地局と端末とがＣＤＭＡ方式で無線通信を行う通信システムに用いられる基地局であって、前記端末として、外部アンテナが当該端末に接続されているか否かを判定し、前記外部アンテナが接続されていることを判定したときに、前記外部アンテナが接続されている旨を前記基地局に通知する優先端末を含み、前記基地局は、前記優先端末から前記外部アンテナが接続されている旨の通知を受信すると、無線ゾーン内の端末との間の伝送速度を低下させる状態が生じても、その優先端末に対しては伝送速度の低下を禁止することを特徴とする。
【００１４】
このように、優先端末から外部アンテナが接続されている旨の通知を受信すると、無線ゾーン内の端末との間の伝送速度を低下させる状態が生じても、その優先端末に対しては伝送速度の低下を禁止しているから、そのような特定の提供により、外部アンテナを端末に装備することを各利用者に促すことができる。
【００１５】
【発明の実施の形態】
（第１実施形態）
図１に本発明に係るＣＤＭＡ方式の通信システムの実施形態を示す。図１は、ＣＤＭＡ方式の通信システムの構成を示す。ＣＤＭＡ方式の通信システムは、基地局１０、及び、端末２０〜４０を有する。基地局１０は、無線ゾーン１１内の端末２０〜４０と無線通信を行う。また、基地局１０は、後述する通信サービスを端末４０に提供するための無線通信の基地局の役割を果たす。端末４０は、外部アンテナ４１を具備する。
【００１６】
以下、端末４０の電気的な概略構成につき図２を参照して説明する。図２は、端末４０の概略的な電気回路構成を示すブロック図である。
【００１７】
図２において、端末４０は、内部アンテナ４２、無線部４３、外部インターフェイス４４、音声処理部４５、マイク４６、スピーカ４７、キー操作部４８、表示パネル４９、メモリ５０、及び、マイクロコンピュータ５１を有する。
【００１８】
無線部４３は、マイクロコンピュータ５１の制御によって、外部アンテナ４１及び内部アンテナ４２のいずれか一方のアンテナから送信信号を出力させる。また、無線部４３は、マイクロコンピュータ５１の制御によって、一方のアンテナの受信信号を復調して復調信号を出力する。
【００１９】
外部インターフェイス４４は、高周波コネクタ４４１、コネクタ検出器４４２、及び、スイッチ４４３から構成されている。高周波コネクタ４４１は、外部アンテナ４１が接続可能であるコネクタで、コネクタ検出器４４２としては、例えば、スイッチが採用されている。
【００２０】
このため、外部アンテナ４１が高周波コネクタ４４１に接続されているとき、コネクタ検出器４４２は、オン信号をマイクロコンピュータ５１に出力する。一方、外部アンテナ４１が高周波コネクタ４４１から脱着しているとき、コネクタ検出器４４２は、オフ信号をマイクロコンピュータ５１に出力する。
【００２１】
このように、マイクロコンピュータ５１は、コネクタ検出器４４２からのオン信号、オフ信号によって、外部アンテナ４１における高周波コネクタ４４１への接続、脱着を検出することになる。
【００２２】
音声処理部４５は、マイクロコンピュータ５１の制御によって、送話信号を送信信号に変換する一方、復調信号を受話信号に変換する。マイク４６は、受信者の送話を送話信号に変換し音声処理部４５に出力し、スピーカ４７は、音声処理部４５からの受話信号を受話に変換する。
【００２３】
キー操作部４８は、複数のキーを有して、複数のキーのそれぞれへの操作を示す操作信号をマイクロコンピュータ５１に出力する。表示パネル４９は、マイクロコンピュータ５１の制御によって、各種表示を行う。
【００２４】
メモリ５０は、マイクロコンピュータ５１の各種プログラム、各種データを記憶する。マイクロコンピュータ５１は、送信電力制御処理、通話処理、外部アンテナ報告処理等の各種処理等を行う。
【００２５】
以下、本実施形態の作動につき図３を用いて説明する。図３は、端末４０の外部アンテナ報告処理、及び、基地局１０の伝送優先端末登録処理を示すフローチャートである。端末４０は、電源ＯＮにて外部アンテナ報告処理の実行を開始する。
【００２６】
先ず、端末４０において、マイクロコンピュータ５１は、外部アンテナ４１が高周波コネクタ４４１に接続しているか否かを判定する（ステップ１００）。ここで、外部アンテナ４１における高周波コネクタ４４１への接続を示す外部アンテナ接続信号を、コネクタ検出器４４２から受けたとき、外部アンテナ４１が高周波コネクタ４４１に接続していると判定してステップ１１０に進む。
【００２７】
次に、マイクロコンピュータ５１は、無線部４３によって外部アンテナ４１から外部アンテナ接続信号を電波を媒体として基地局１０に送信させる（ステップ１１０）。これにより、端末４０は、外部アンテナ４１が接続されている旨を、基地局１０に報告できる。
【００２８】
次に、基地局１０は、端末４０からの外部アンテナ接続信号を受信すると（ステップ２００）、端末４０を伝送優先端末としてその電話番号を登録する（ステップ２１０）。従って、端末４０は、無線ゾーン内の他の端末２０、３０に比べて、後述する優位な通信サービスを享受する（ステップ１２０）。
【００２９】
次に、端末４０のマイクロコンピュータ５１は、外部アンテナ４１が高周波コネクタ４４１から取り外されているか否かを判定する（ステップ１３０）。
【００３０】
ここで、外部アンテナ４１における高周波コネクタ４４１から取り外しを示す外部アンテナ取り外し信号を、コネクタ検出器４４２から受けたとき、外部アンテナ４１が高周波コネクタ４４１から取り外されていると判定して、ステップ１４０に進む。
【００３１】
次に、マイクロコンピュータ５１は、無線部４３によって外部アンテナ４１から外部アンテナ取り外し信号を、電波を媒体として基地局１０に送信させる（ステップ１４０）。これにより、端末４０は、外部アンテナ４１が取り外されている旨を、基地局１０に報告できる。さらに、基地局１０は、端末４０からの外部アンテナ取り外し信号を、受信すると（ステップ２２０）、端末４０に対する伝送優先端末の登録を解除する（ステップ２３０）。
【００３２】
以下、基地局１０における、端末４０を伝送優先端末として登録したときの具体的な作動を図４を参照して説明する。
【００３３】
先ず、無線ゾーン１１内において基地局１０と通信中の端末の数、及び、伝送速度といった回線状態によって、新に回線接続を許可できる端末の数（以下、許可数Ｋという）が定まる。この場合、許可数Ｋ以上の各端末が、回線接続を要求する要求信号を、基地局１０に送信しても、各端末の全てが回線接続することは不可能である。
【００３４】
そこで、基地局１０は、伝送優先端末に対して優先的に回線接続を許可するために、通信サービス処理を実行する。図４は、基地局１０の通信サービス処理を示すフローチャートである。そして、基地局１０は、図４に示すフローチャートに従って、通信サービス処理を実行する。
【００３５】
先ず、伝送優先端末４０の登録番号（電話番号）を呼出し（ステップ３００）、回線状態に応じて回線接続の許可数Ｋを算出する（ステップ３１０）。一定期間における、回線接続を要求する端末の数（以下、要求数Ｙという）を求め、許可数Ｋが、要求数Ｙ以上か否かを判定する（ステップ３３０）。許可数Ｋが、要求数Ｙ以上のとき（Ｋ≧Ｙ）、回線接続を要求する各端末の全てに、回線接続を許可する（ステップ３４０）。
【００３６】
次に、ステップ３３０において、許可数Ｋが要求数Ｙ未満のとき（Ｋ＜Ｙ）、ステップ３５０に進んで、回線接続を要求する各端末（以下、各要求端末という）のうち、伝送優先端末が存在するか否かを判定する。そして、各要求端末のうち伝送優先端末が存在するとき、伝送優先端末に対して優先的に回線接続を許可する（ステップ３６０）。
【００３７】
次に、各要求端末のうち伝送優先端末以外の端末が存在するか否かを判定する（ステップ３７０）。そして、各要求端末のうち伝送優先端末以外の残りの各要求端末が存在するとき、ステップ３８０に進む。
【００３８】
ここで、各要求端末のうち伝送優先端末の数（以下、登録数Ｔという）を求め、許可数Ｋと登録数Ｔとの差（以下、残数Ｚという）を求める。さらに、各要求端末のうち伝送優先端末を除いた残りの各要求端末を求め、この残りの各要求端末のうち残数Ｚ分の端末をランダムに選択してこの選択された端末に対して回線接続を許可する。
【００３９】
なお、ステップ３５０にて、各要求端末のうち伝送優先端末が存在しないとき、ステップ３９０に進んで、各要求端末のうち許可数Ｋ分の端末をランダムに選択してこの選択された端末に対して回線接続を許可する。
【００４０】
以下、本実施形態の特徴につき述べる。すなわち、基地局１０は、外部アンテナ４１を装備している旨を端末４０から受けると、その端末４０を伝送優先端末として登録する。そして、基地局１０は、伝送優先端末に対して、他の端末に比べて優先的に回線接続を許可するといった通信サービスを提供する。従って、基地局１０は、外部アンテナを装備している端末４０の利用者に対して特典を提供できる。
【００４１】
さらに、上記実施形態では、伝送優先端末に対して、他の端末に比べて優先的に回線接続を許可するといった通信サービスを提供する例につき説明したが、これに限らず、伝送優先端末に対して、伝送速度の高速化を優先的に許可してもよい。先ず、無線ゾーン１１内において基地局１０と通信中の端末の数、及び、伝送速度といった回線状態によって、新に、伝送速度の高速化を許可できる端末の数が定まる。
【００４２】
そこで、基地局１０は、伝送優先端末４０の登録番号（電話番号）を呼出し、伝送速度の高速化の許可数Ｋ’を算出する。一定期間における、伝送速度の高速化を要求する端末の要求数Ｙ’を求め、許可数Ｋ’が要求数Ｙ’以上か否かを判定する。許可数Ｋ’が、要求数Ｙ’以上のとき（Ｋ’≧Ｙ’）、伝送速度の高速化を要求する各端末の全てに、伝送速度の高速化を許可する。
【００４３】
次に、許可数Ｋ’が要求数Ｙ’未満のとき（Ｋ’＜Ｙ’）、伝送速度の高速化を要求する各要求端末のうち、伝送優先端末が存在するか否かを判定する。そして、各要求端末のうち伝送優先端末が存在するとき、他の端末に比べて伝送優先端末に対して優先的に伝送速度の高速化を許可する。
【００４４】
（第２実施形態）無線ゾーン１１内にて、その回線状態に応じて、所定の伝送速度で伝送できる端末の数が定まるため、回線状態が劣化すると、所定の伝送速度で伝送できる端末の数は少なくなる。
【００４５】
このため、基地局１０は、回線状態が劣化すると、所定の伝送速度で伝送中の各端末のうち、所定の端末数Ｄ分の端末を選択してこの選択された端末の伝送速度を低下させることにより、無線ゾーン１１内の通信品質を保つ。
【００４６】
そこで、本第２実施形態では、基地局１０は、伝送優先端末に対して通信サービス処理を実行することにより、伝送優先端末以外の端末の伝送速度を低下させる一方、伝送優先端末に対して伝送速度の低下を禁止する。
【００４７】
この場合の基地局１０の通信サービス処理を図５に示す。図５は、第２実施形態の通信サービス処理を示すフローチャートである。基地局１０は、図５に示すフローチャートに従って、通信サービス処理を実行する。
【００４８】
先ず、無線ゾーン１１内で通信中の各端末（以下、各通信中端末という）のうち、伝送優先端末が存在するか否かを判定する（ステップ４００）。通信中端末のうち伝送優先端末が存在しないとき、通信中端末のうち所定の端末数Ｄ分の端末をランダムに選択し（ステップ４１０）、この選択された端末の伝送速度を低下させる（ステップ４３０）。
【００４９】
また、ステップ４００において、通信中端末のうち伝送優先端末が存在するとき、通信中端末のうち伝送優先端末を除き、この除いたものから所定の端末数Ｄ分の端末をランダムに選択する（ステップ４２０）。この選択された端末の伝送速度を低下させる（ステップ４３０）。
【００５０】
これにより、伝送優先端末以外の端末の伝送速度を低下させる一方、伝送優先端末に対して伝送速度の低下を禁止することができる。従って、伝送優先端末にとっては、他の端末に比べて優先的に伝送速度の低下を避けることができ、外部アンテナ４１を装備している端末４０の利用者に対して特典を提供できる。
【００５１】
また、本発明の実施にあたり、外部アンテナ４１を装備する端末４０の利用者への特典としては、伝送速度の高速化の優先的な許可、回線接続の優先的な許可、若しくは、伝送速度の低下禁止等に限らず、通信費用の低減、その他、通信サービスを適用してもよい。
【００５２】
なお、本発明の実施にあたり、端末２０〜４０としては、携帯電話、自動車電話等の各種無線通信端末を適用してもよい。
【図面の簡単な説明】
【図１】本発明の第１実施形態のＣＤＭＡ方式の通信システムの構成を示す図である。
【図２】図１に示す端末の電気回路構成を示すブロック図である。
【図３】図１に示す基地局及び端末の作動を示すフローチャートである。
【図４】図１に示す基地局の作動を示すフローチャートである。
【図５】本発明の第２実施形態の基地局の作動を示すフローチャートである。
【図６】ＣＤＭＡ方式の通信システムの構成を示す図である。
【符号の説明】
１０…基地局、４０…基地局。
【図１】
0003709801.tif 000002
【図２】
0003709801.tif 000003
【図３】
0003709801.tif 000004
【図４】
0003709801.tif 000005
【図５】
0003709801.tif 000006
【図６】
0003709801.tif 000007